(57)【要約】【課題】調剤薬局毎の内部規定にそれぞれ運用がなっている服用時別の色分けを自動で反映させて、服用時別に異なる手撒きのセット位置をユーザに分かり易いように指導すること。【解決手段】手撒き錠剤を１包毎に投入する錠剤マスと、錠剤マスに手撒きの錠剤を投入すべきマス配列を案内するための錠剤マス画面を表示する表示部を備える薬剤包装装置が、複数の服用時と当該服用時ごとに固有な配色とをそれぞれ対応づけた服用時配色データを記憶し、複数の服用時に応じた錠剤マス画面の表示要求を受け付け、錠剤マス画面において複数の服用時を識別可能なように、表示要求を受け付けた錠剤マス画面を服用時配色データが記憶する固有な配色ごとのマス配列に区分して表示する。 【選択図】  図３４
2014087545.tif 000002
【特許請求の範囲】
【請求項１】
手撒き錠剤を１包毎に投入する錠剤マスと、前記錠剤マスに手撒きの錠剤を投入すべきマス配列を案内するための錠剤マス画面を表示する表示部を備える薬剤包装装置であって、
複数の服用時と当該服用時ごとに固有な配色とをそれぞれ対応づけた服用時配色データを記憶する服用時配色記憶手段と、
複数の服用時に応じた錠剤マス画面の表示要求を受け付ける画面表示要求受付手段と、
前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、
を備えることを特徴とする薬剤包装装置。
【請求項２】
前記複数の服用時に応じた錠剤マス画面の表示要求をする前記複数の服用時の中の１つの服用時と、服用が開始される時点とが関連づけて記憶され、
服用が開始される時点を含んだ複数の服用時に応じた錠剤マス画面の表示要求を受け付けた場合には、前記区分表示制御手段が前記固有な配色別に区分して表示するともに、前記服用が開始される時点に対応する服用時に関連づけされている配色がはじめに包装されるマス配列になるように前記区分して表示するマス配列の配色の並びを替える配色並替手段と、
をさらに備えることを特徴とする請求項１に記載の薬剤包装装置。
【請求項３】
前記表示される錠剤マス画面において、前記服用時配色データにより固有な配色にそれぞれ対応づけられている服用時の名称を前記区分表示制御手段が前記固有な配色別に区分して表示するマス配列の近傍に表示する服用時名称表示手段と、
をさらに備えることを特徴とする請求項１または請求項２に記載の薬剤包装装置。
【請求項４】
前記服用時配色データに記憶させる服用時ごとに固有な配色を、ユーザ所望の配色群から指定する配色指定手段と、
前記指定されたユーザ所望の配色を、前記表示要求を受け付けた錠剤マス画面において前記服用時配色データが記憶する前記固有な配色ごとのマス配列に区分して表示するべく、前記複数の服用時と当該服用時ごとに固有な配色として登録する配色登録手段と、
をさらに備えることを特徴とする請求項１乃至請求項３のいずれか１項に記載の薬剤包装装置。
【請求項５】
前記表示部に、前記錠剤マスに手撒きの錠剤を投入すべき錠剤名の一覧を案内するための錠剤名画面を表示する錠剤名表示手段と、
前記表示される錠剤マス画面のマス内に、前記錠剤名画面において案内されている錠剤名を、当該錠剤名毎にそれぞれ対応する錠剤アイコンで色分けして表示する錠剤アイコン表示手段と、
前記表示される錠剤名画面の錠剤名の一覧から、ユーザ所望の錠剤名を選択させる錠剤名選択手段と、
をさらに備え、
前記錠剤名選択手段により、前記ユーザ所望の錠剤名が選択された場合には、前記錠剤マス画面のマス中に前記錠剤名毎に色分けされた錠剤アイコンを表示したままで、前記錠剤マス画面において複数の服用時を識別可能なようにマス配列に区分して表示している固有な配色が消去されるように、前記区分表示制御手段が表示制御することを特徴とする請求項１乃至請求項４のいずれか１項に記載の薬剤包装装置。
【請求項６】
手撒き錠剤を１包毎に投入する錠剤マスと、前記錠剤マスに手撒きの錠剤を投入すべきマス配列を案内するための錠剤マス画面を表示する表示部を備える錠剤供給装置であって、
複数の服用時と当該服用時ごとに固有な配色とをそれぞれ対応づけた服用時配色データを記憶する服用時配色記憶手段と、
複数の服用時に応じた錠剤マス画面の表示要求を受け付ける画面表示要求受付手段と、
前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、
を備えることを特徴とする錠剤供給装置。
【請求項７】
手撒き錠剤を１包毎に投入する錠剤マスを備える薬剤包装装置と通信可能に接続され、前記錠剤マスに手撒きの錠剤を投入すべきマス配列を案内するための錠剤マス画面を表示する表示部を備える制御コンピュータであって、
複数の服用時と当該服用時ごとに固有な配色とをそれぞれ対応づけた服用時配色データを記憶する服用時配色記憶手段と、
複数の服用時に応じた錠剤マス画面の表示要求を受け付ける画面表示要求受付手段と、
前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、
を備えることを特徴とする制御コンピュータ。
【請求項８】
手撒き錠剤を１包毎に投入する錠剤マスを備える錠剤供給装置と通信可能に接続され、前記錠剤マスに手撒きの錠剤を投入すべきマス配列を案内するための錠剤マス画面を表示する表示部を備える制御コンピュータであって、
複数の服用時と当該服用時ごとに固有な配色とをそれぞれ対応づけた服用時配色データを記憶する服用時配色記憶手段と、
複数の服用時に応じた錠剤マス画面の表示要求を受け付ける画面表示要求受付手段と、
前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、
を備えることを特徴とする制御コンピュータ。
【請求項９】
手撒き錠剤を１包毎に投入する錠剤マスと、前記錠剤マスに手撒きの錠剤を投入すべきマス配列を案内するための錠剤マス画面を表示する表示部と、複数の服用時と当該服用時ごとに固有な配色とをそれぞれ対応づけた服用時配色データを記憶する服用時配色記憶手段と、を備える薬剤包装装置の制御方法であって、
前記薬剤包装装置の画面表示要求受付手段が、複数の服用時に応じた錠剤マス画面の表示要求を受け付ける画面表示要求受付工程と、
前記薬剤包装装置の区分表示制御手段が、前記錠剤マス画面において複数の服用時を識別可能なように、前記表示要求を受け付けた錠剤マス画面を前記服用時配色データが記憶する前記固有な配色ごとのマス配列に区分して表示する区分表示制御工程と、
を含むことを特徴とする制御方法。
【請求項１０】
手撒き錠剤を１包毎に投入する錠剤マスと、前記錠剤マスに手撒きの錠剤を投入すべきマス配列を案内するための錠剤マス画面を表示する表示部と、複数の服用時と当該服用時ごとに固有な配色とをそれぞれ対応づけた服用時配色データを記憶する服用時配色記憶手段と、を備える薬剤包装装置で読み取り実行可能なプログラムであって、
前記薬剤包装装置を、
複数の服用時に応じた錠剤マス画面の表示要求を受け付ける画面表示要求受付手段と、
前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、
して機能させることを特徴とするプログラム。
【発明の詳細な説明】
【技術分野】
【０００１】
薬剤包装装置、錠剤供給装置、制御コンピュータ、およびその制御方法とプログラムに関する。
【背景技術】
【０００２】
従来、調剤業務において、ＰＴＰシートで提供されている錠剤（薬）の一包化を行うためには、人の手によってＰＴＰシートから錠剤を１回分の錠剤数ずつ取り出し、分包機の錠剤マスに手撒きでセットする作業が必要であった。このような手撒きのセット作業を支援するために、特許文献１には、簡単な構成で手撒き作業を支援するために、分３用手撒シートの番号表示部に、分３（例えば、ある薬剤を１日に朝、昼、夕の計３回服用）の場合に、個々の錠剤収容枡への錠剤の手撒作業を容易にするために、規則的な色分けをする技術が開示されている。
【０００３】
また、特許文献には２、どの枡４にどの薬剤を手撒きすればよいのかが一目で分かるように、表示装置にトレイの枡に対応するように格子状の枠を表示し、各手撒きパターンに応じて各処方を識別可能に表示する。例えば、Ａ処方が３包であれば、Ａ１、Ａ２、Ａ３を、順次、包装順に各枠内に表示させる技術が開示されている。
【先行技術文献】
【特許文献】
【０００４】
【特許文献１】ＷＯ２００８−３５７０１号公報
【特許文献２】特開２００９−９５６５４号公報
【発明の概要】
【発明が解決しようとする課題】
【０００５】
特許文献１においては、コストを削減するために、分３用手撒シートや分４用手撒シートといったようにそれぞれの手撒きパターンに対応する手撒シートを毎回探してから手撒き作業を開始ことはユーザによって非常に手間であり作業性が悪化してしまう。
【０００６】
また、特許文献２においては、手撒きする錠剤数をマス毎に表示しているだけであり、外観がとても似ている種別の異なる錠剤を手撒き投入するケースにおいては、間違った錠剤マスに投入し調剤過誤が発生してしまう可能性がある。
このように、1日に多くの処方箋を処理する調剤薬局の作業を効率的でかつ安全に行うための対応が求められていた。
【０００７】
本発明は、調剤薬局毎の内部規定にそれぞれ運用がなっている服用時別の色分けを自動で反映させて、服用時別に異なる手撒きのセット位置をユーザに分かり易いように指導することができる仕組みを提供することを目的とする。
【課題を解決するための手段】
【０００８】
本発明は、手撒き錠剤を１包毎に投入する錠剤マスと、前記錠剤マスに手撒きの錠剤を投入すべきマス配列を案内するための錠剤マス画面を表示する表示部を備える薬剤包装装置であって、複数の服用時と当該服用時ごとに固有な配色とをそれぞれ対応づけた服用時配色データを記憶する服用時配色記憶手段と、複数の服用時に応じた錠剤マス画面の表示要求を受け付ける画面表示要求受付手段と、前記錠剤マス画面において複数の服用時を識別可能なように、前記表示要求を受け付けた錠剤マス画面を前記服用時配色データが記憶する前記固有な配色ごとのマス配列に区分して表示する区分表示制御手段と、を備えることを特徴とする。
【０００９】
また、前記複数の服用時に応じた錠剤マス画面の表示要求をする前記複数の服用時の中の１つの服用時と、服用が開始される時点とが関連づけて記憶され、服用が開始される時点を含んだ複数の服用時に応じた錠剤マス画面の表示要求を受け付けた場合には、前記区分表示制御手段が前記固有な配色別に区分して表示するともに、前記服用が開始される時点に対応する服用時に関連づけされている配色がはじめに包装されるマス配列になるように前記区分して表示するマス配列の配色の並びを替える配色並替手段と、をさらに備えることを特徴とする。
【００１０】
また、前記表示される錠剤マス画面において、前記服用時配色データにより固有な配色にそれぞれ対応づけられている服用時の名称を前記区分表示制御手段が前記固有な配色別に区分して表示するマス配列の近傍に表示する服用時名称表示手段と、をさらに備えることを特徴とする。
【００１１】
また、前記服用時配色データに記憶させる服用時ごとに固有な配色を、ユーザ所望の配色群から指定する配色指定手段と、前記指定されたユーザ所望の配色を、前記表示要求を受け付けた錠剤マス画面において前記服用時配色データが記憶する前記固有な配色ごとのマス配列に区分して表示するべく、前記複数の服用時と当該服用時ごとに固有な配色として登録する配色登録手段と、をさらに備えることを特徴とする。
【００１２】
また、前記表示部に、前記錠剤マスに手撒きの錠剤を投入すべき錠剤名の一覧を案内するための錠剤名画面を表示する錠剤名表示手段と、前記表示される錠剤マス画面のマス内に、前記錠剤名画面において案内されている錠剤名を、当該錠剤名毎にそれぞれ対応する錠剤アイコンで色分けして表示する錠剤アイコン表示手段と、前記表示される錠剤名画面の錠剤名の一覧から、ユーザ所望の錠剤名を選択させる錠剤名選択手段と、をさらに備え、前記錠剤名選択手段により、前記ユーザ所望の錠剤名が選択された場合には、前記錠剤マス画面のマス中に前記錠剤名毎に色分けされた錠剤アイコンを表示したままで、前記錠剤マス画面において複数の服用時を識別可能なようにマス配列に区分して表示している固有な配色が消去されるように、前記区分表示制御手段が表示制御することを特徴とする。
【発明の効果】
【００１３】
本発明により、調剤薬局毎の内部規定にそれぞれ運用がなっている服用時別の色分けを自動で反映させて、服用時別に異なる手撒きのセット位置をユーザに分かり易いように指導することができる仕組みを提供するが可能となる。
【図面の簡単な説明】
【００１４】
【図１】薬剤包装システム全体の外観を示す図。
【図２】錠剤供給装置の外観を示す図。
【図３】錠剤取出ユニットの内部構造を示す図。
【図４】錠剤取出ユニットの内部構造を示す図。
【図５】錠剤供給装置の内部構造を示す図。
【図６】錠剤供給ユニットの内部構造を示す図。
【図７】薬剤包装ユニットの内部構造を示す図。
【図８】薬剤包装ユニットの内部構造を示す図。
【図９】薬剤包装装置の外観を示す図
【図１０】薬剤包装装置の内部を示す図
【図１１】プログラムの機能ブロック。
【図１２】プログラムの機能ブロック。
【図１３】プログラムの機能ブロック。
【図１４】制御コンピュータのハードウエア構成図。
【図１５】制御用ＣＰＵの構成図。
【図１６】処方箋データファイルの１例を示す図。
【図１７】薬剤マスタのデータベースファイルの１例を示す図。
【図１８】ユニットマスタのデータベースファイルの１例を示す図。
【図１９】設定データファイルの１例を示す図。
【図２０】メイン画面の１例を示す図。
【図２１】散薬ガイダンス画面の１例を示す図。
【図２２】手撒き錠剤ガイダンス画面の１例を示す図。
【図２３】手撒き錠剤ガイダンス画面の１例を示す図。
【図２４】手撒き錠剤ガイダンス画面の１例を示す図。
【図２５】手撒き錠剤ガイダンス画面の１例を示す図。
【図２６】ＰＴＰシートガイダンス画面の１例を示す図。
【図２７】処方データ編集画面の１例を示す図。
【図２８】処方データ編集画面の１例を示す図。
【図２９】処方データ編集画面の１例を示す図。
【図３０】その他の設定画面の１例を示す図。
【図３１】オプション画面の１例を示す図。
【図３２】オプション画面の１例を示す図。
【図３３】各画面の遷移をまとめた図。
【図３４】包装装置５のＬＣＤ操作パネルが表示する画面
【図３５】２つの分包パターンを比較した図。
【図３６】メイン処理のフローチャートを示す図。
【図３７】手撒きガイダンス画面の表示処理のフローチャートを示す図。
【図３８】錠剤選択処理のフローチャートを示す図。
【図３９】記憶するデータの１例を示す図。
【発明を実施するための形態】
【００１５】
図１を説明する。
図１は、薬剤包装装置５と錠剤供給装置１０を示す図である。
錠剤供給装置１０及び錠剤供給装置１０から供給された錠剤を包装する薬剤包装装置５とで構成されている薬剤包装システムである。
【００１６】
錠剤供給システムは、複数の錠剤をそれぞれ錠剤収容部５２に封入した錠剤シート５１から錠剤５０を取り出して、取り出された錠剤を包装する薬剤包装装置５に供給する。
１は錠剤取出ユニットであり、錠剤シートから錠剤を取り出すユニットである。
【００１７】
錠剤供給装置には複数の錠剤取出ユニット１が収納されている。錠剤取出ユニットは、幅方向（左右方向）に６つが並べられ、この６つの錠剤取出ユニットからなる組が上下に３段に配置されている。すなわち、錠剤取出ユニット１は、左右６列、上下３段に配列されている。
錠剤供給装置１０は複数の錠剤取出ユニット１を備えているが、錠剤取出ユニット１の数は１でもよい。
５は薬剤包装装置であり、錠剤供給装置１０の錠剤取出ユニット１から供給された錠剤を包装する装置である。
【００１８】
また薬剤包装装置５は、手撒きの錠剤５０の収容部が複数配列されている錠剤マス１０３を備え、予め設定された分包数まで、錠剤マス１０３に投入される錠剤５０を錠剤マス毎に順次分包するように動作する。
【００１９】
１０は錠剤供給装置であり、錠剤取出ユニット１により錠剤シートから錠剤を取り出して供給する。錠剤供給装置１０は複数の錠剤取出ユニット１を備えている。
錠剤供給装置１０は、複数の錠剤をそれぞれ錠剤収容部に封入した錠剤シートから錠剤を取り出して供給する。
錠剤供給装置１０は、１または複数の錠剤取出しユニット１と、錠剤取出ユニット１で取り出された錠剤を供給する供給ユニットとを備えている。
【００２０】
１０３は錠剤供給装置１０を使用せずに薬剤包装装置５側で錠剤を包装したい場合に人の手によって錠剤が錠剤をセットされる錠剤マスである。錠剤供給装置１０からの錠剤と手撒き錠剤部からの錠剤を混合して１包にまとめることができる。手撒きの錠剤５０を１包毎に投入するためのものである。
錠剤マス１０３のみを錠剤供給装置にして錠剤シート５１から錠剤５０を手で取り出してから錠剤マス１０３に投入した手撒きの錠剤を、１包毎に包装する薬剤包装装置５に供給してもよい。
１０４はＬＣＤ操作パネルである。作業者による包装数等の入力や、スタートボタンにより包装動作の開始指示を受け付ける部分である。
ＬＣＤ操作パネル１０４は、錠剤マス１０３に手撒きの錠剤５０を投入すべきマス配列１９１２を案内するための錠剤マス画面１９０８を表示する。
２は、薬剤包装装置５及び錠剤供給装置１０と制御コンピュータ３とが通信する為の通信ケーブルである。
３は、薬剤包装装置５及び錠剤供給装置１０と通信する制御コンピュータである。
４は、制御コンピュータと通信する外部機器（調剤コントローラ）である。
図２を説明する。
図２は、錠剤供給装置１０を示す図である。
尚、錠剤供給装置１０を前面側から見た図である。
２０３は半端な数の錠剤が残っていない新品の錠剤シートの投入口である。
図３を説明する。
図３は、錠剤取出ユニット１の内部構造を示す図である。
尚、錠剤取出ユニット１を前面側から見た図である。
【００２１】
錠剤取出ユニット１は、錠剤シートを搬送する搬送機構と、搬送機構により搬送された錠剤シートが載置される載置台と、載置台上の錠剤シートの錠剤収容部を押圧して錠剤を取り出す押出し機構とを有している。
５１は半端な数の錠剤が残っていない新品の錠剤シートである。
【００２２】
錠剤シートは、錠剤を収容する錠剤収容部を有するシート本体の下面に、アルミニウム等からなる金属箔などを用いた封止シートを設けることによって錠剤を錠剤収容部に密封したものである。錠剤シートは、シート部上に凸状の錠剤収容部が幅方向に間隔をおいて２列に並んだ形態である。各列をなす複数の錠剤収容部は錠剤シートの長さ方向に沿って並んでいる。
【００２３】
なお、錠剤シートとしては、シート部上に錠剤収容部が２列に並んだ形態のものに限らず、錠剤収容部が錠剤シートの長さ方向に１列に並んだ形態や、錠剤収容部が幅方向に間隔をおいて３列以上の複数列に並んだ形態も可能である。
図４を説明する。
図４は、錠剤取出ユニット１の内部構造（断面）を示す図である。
錠剤シート投入口へシートをセットし、ＰＴＰシートを除包位置（錠剤の取出位置）まで搬送を行った際の図である。
【００２４】
錠剤取出ユニット１は、錠剤シートを搬送する錠剤シート搬送機構（搬送機構）と、錠剤シートが載置される載置台１８と、半端な数の錠剤が残っていない新品の錠剤シートから錠剤を取り出す錠剤取出機構（押出し機構）とを備えている。
３９は下部ローラである。
【００２５】
錠剤シート搬送機構は、錠剤シートを進行方向に向け搬送するものであって、進行方向に互いに間隔をおいて設けられた下部ローラと、進行方向に互いに間隔をおいて設けられた上部ローラとを備えている。
【００２６】
搬送機構３９は、錠剤収容部の押圧を継続するまえに載置台上の押圧される位置から所定の距離だけ錠剤シートをさらに搬送し、押出し機構が、錠剤収容部の押圧を継続（リトライ）する。
下部ローラは駆動源により回転駆動可能であり、シート部の下面に当接して錠剤シートに進行方法への力を加えることができる。
上部ローラは、駆動源により回転駆動可能であり、シート部の上面に当接して錠剤シートに進行方向への力を加えることができる。
上部ローラの幅方向の位置は、２列の錠剤収容部の間に相当する位置であるため、上部ローラは錠剤収容部５２に当接することはない。
【００２７】
下部ローラと上部ローラはシート部を上下から挟み込んで錠剤シートを進行方向に搬送できる。さらに下部ローラと上部ローラはシート部を上下から挟み込んで錠剤シート５１を進行方向とは逆の方向にも搬送できる。
２４は導入シュートである。
導入シュート２４により半端な数の錠剤が残っていない新品の錠剤シートから押出し機構により取り出された錠剤が供給される（シート錠剤供給機構）。
導出シュート２４は、排出口３０に落とし込まれた錠剤を導くものであって、排出口３０を含む大きさの上部開口を有し、載置台の下面側に設けられている。
錠剤取出しユニットは、載置台上の錠剤シートの錠剤収容部を押圧する速度を変更させる変更機構をさらに有している。
押出し機構は、より高速に変更された速度で錠剤収容部の押圧を継続（リトライ）する。
押出し機構は、錠剤収容部の中央付近を押圧する内側押圧体８３と、中央付近よりも外側の部分を押圧する外側押圧体８４とを含んでいる。
内側押圧体と外側押圧体とが独立して動作することで錠剤収容部を押圧して錠剤を取り出す。
押出し機構は、内側押圧体よりも先に外側押圧体により錠剤収容部を押圧させる。
【００２８】
８３は内側押圧体である。内側押圧体の先端は、ほとんどの錠剤シートの錠剤収容部よりも面積が狭いので、内側押圧体は錠剤を取り出す場合（下降した場合）に、錠剤シートに開いた穴から先端が突き出る。
【００２９】
８４は外側押圧体である。外側押圧体の先端は、ほとんどの錠剤シートの錠剤収容部よりも面積が広いので、錠剤を取り出す場合（下降した場合）に、錠剤シートに開いた穴から先端が突き出ない。つまり錠剤シートの錠剤収容部を押し潰すためのものである。
錠剤取出機構（押出し機構）は、外側押圧体を昇降させる第１昇降機構と、内側押圧体を昇降させる第２昇降機構とを有する。
【００３０】
第１昇降機構は、外側押圧体が取り付けられた第１昇降体と、回転駆動して第１昇降体を昇降させるカムと、第１昇降体を上昇方向に付勢する付勢部材（ばね）とを備えている。
【００３１】
第１昇降体は、前後方向にわたって延在する柱状体であり、前端部に外側押圧体が取り付けられている。カムは、外側押圧体の昇降動作を考慮して設計された形状の板状体であり、図示せぬ駆動機構によって回転駆動する軸部に固定されている。カムは、第１昇降体の上面側に設けられ、軸部の回転に伴って回転駆動し、第１昇降体を押圧することによって高さ位置を調整し、これによって外側押圧体の高さ位置を調整することができる。第１昇降機構は、カムの回転動作のタイミング、カムの形状、軸部に対するカムの固定位置などの設定によって、外側押圧体の昇降動作のタイミングや変位量を任意に設定できる。
【００３２】
第２昇降機構は、内側押圧体が取り付けられた第２昇降体と、回転駆動して第２昇降体を昇降させるカムと、第２昇降体を上昇方向に付勢する付勢部材（ばね）とを備えている。
【００３３】
第２昇降体は、前後方向にわたって延在する柱状体であり、前端部に内側押圧体が取り付けられている。カムは、第２昇降体の上面側に設けられ、軸部の回転に伴って回転駆動し、第２昇降体を押圧して高さ位置を調整し、これによって内側押圧体の高さ位置を調整することができる。第２昇降機構は、カムの回転動作のタイミング、カムの形状、軸部に対するカムの固定位置などの設定によって、内側押圧体の昇降動作のタイミングや変位量を任意に設定できる。
【００３４】
このため、カム９４とカム９９は、それぞれ第１昇降体と第２昇降体に対して互いに独立に動作可能であり、内側押圧体と外側押圧体は、互いに独立に昇降動作させることができる。
【００３５】
錠剤取出機構における２つのカムの回転動作のタイミング等は、錠剤位置検出機構の検出部からの信号に基づいて定めることができる。具体的には、検出された錠剤収容部の位置に合わせて内側押圧体と外側押圧体を動作させることができる。
錠剤取出ユニット１は、錠剤収容部の押圧をするまえに、押圧される錠剤収容部の長さを検出する検出機構１７をさらに有している。
錠剤供給装置１０は、検出した錠剤収容部の長さに基づいて所定の距離を算出する算出手段をさらに有している。
検出機構１７は、押圧される錠剤収容部の長さを検出するとともに押圧される錠剤収容部の位置をさらに検知する。
錠剤供給装置１０は、検知された錠剤収容部の位置に基づいて、押圧される位置までの搬送距離を算出する算出手段をさらに有する。
搬送機構３９は、搬送距離により載置台上の錠剤収容部が押圧される位置まで錠剤シートを搬送する。
搬送機構３９は、所定の距離だけ前方または後方に錠剤シートを搬送する。
図５を説明する。
図５は、錠剤供給装置１０の内部構造を示す図である。
尚、錠剤供給装置１０を背面側から見た図である。
【００３６】
２０４は、光学センサ（ビームセンサ）であり、落下物を検知するものである。除包された錠剤が排出ホッパ（導入シュート）内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の判定を行っている。
錠剤落下検知機構２０４は、光学センサと落下錠剤カウンタとを有する。
錠剤供給装置１０は、押圧により錠剤収容部から錠剤が取り出されたかいなかを判定するべく、取り出された錠剤を検知する検知機構２０４を有している。
錠剤供給装置１０は、錠剤収容部から取り出された錠剤の個数を計数（カウント）するべく、取り出された錠剤を検知する検知機構２０４を有している。
【００３７】
錠剤供給装置１０は、検知機構２０４が、所定の個数を超えた取り出された錠剤の個数を計数した場合には、薬剤包装装置５にエラー処理を実行させるべく要求するエラー処理要求手段を有する。
薬剤包装装置５にエラー処理を実行させるべく要求するエラー処理要求工程。
錠剤供給装置１０は、押出し機構が押圧動作中であるかいなかを判断する判断手段をさらに有する。
【００３８】
検知機構２０４は、判断手段により押圧動作中であると判断されている場合には、錠剤収容部から取り出された錠剤の個数を計数することで、押圧動作による異物の混入を検知する。
検知機構２０４は、判断手段により押圧動作中であると判断されている場合には、所定の個数を少なくとも１に設定する。
【００３９】
検知機構２０４は、判断手段により押圧動作中ではないと判断されている場合には、錠剤収容部から取り出された錠剤の個数を計数することで、押圧動作によらない取出しミスを検知する。
検知機構２０４は、判断手段により押圧動作中ではないと判断されている場合には、所定の個数を０に設定することを特徴とする。
【００４０】
押出し機構は、取り出された錠剤が検知されない場合には錠剤収容部の押圧を継続（リトライ）し、取り出された錠剤が検知された場合には錠剤収容部の押圧を継続（リトライ）しない。
４０１は、錠剤導入路である。錠剤シートから取り出され落下した錠剤を導入シュート２４から第１集積ホッパに中継する。
図６を説明する。
図６は、錠剤供給ユニット４００の内部構造を示す図である。
４０２は第１集積ホッパである。錠剤シートから取り出され落下した錠剤を集積する。
５０１は第２集積ホッパである。第１集積ホッパで集積された錠剤をさらに集積する。
５０２は第１の送り出し機構である。第２集積ホッパで集積された錠剤を第３の集積ホッパに移動させる。
５０３は第３集積ホッパである。送り出された錠剤を集積する。
５０４は第２の送り出し機構である。第３集積ホッパで集積された錠剤をメインホッパに移動させる。
５０５はメインホッパである。送り出された錠剤を集積し、包装シート（分包紙）の中に集積した錠剤を投入する。
図７を説明する。
図７は、薬剤包装ユニット７０１の内部構造を示す図である。
７０２は包装シートが連なるロール紙を包装機構に送り出すロール紙送出機構である。
７０３は加熱溶着により、包装シートの中に投入された錠剤を包装シートの中に封入する（包装機構）。
７０４は加熱溶着により、包装シートの中に投入された錠剤を包装シートの中に封入する（包装機構）。
【００４１】
包装機構は、シート錠剤供給機構または手撒き錠剤供給機構９０１の少なくとも１つから供給された１包に包装される数の錠剤を１包毎の包装シートに包装する。
７０５は、連なるロール紙を１包毎の包装シートに分断するための分断用ミシン目を包装シートに形成する。（分断機構）
７０６はプリンタであり、包装シートに、日付、患者データ、エラー情報を印字する（印字機構）。
薬剤包装装置５は、要求を受け付ける受付手段を有している。
薬剤包装装置５は、取り出された錠剤を個別の包装シート毎に分けて包装する包装機構７０４を有している。
薬剤包装装置５は、個別の包装シート毎の情報を印字する印字機構７０６を有している。
印字機構７０６は、受付手段が要求を受け付けた場合に、所定の個数を超えた錠剤が包装されている個別の包装シートにエラー処理にかかる情報を印字する。
エラー処理にかかる情報とは、押圧動作による異物の混入を報知する情報である。
エラー処理にかかる情報とは、押圧動作によらない取出しミスを報知する情報である。
【００４２】
薬剤包装装置５または錠剤供給装置１０のいずれか１方は、取り出された錠剤が、包装機構７０４よりに包装されるタイミングを制御する制御手段を有している。
前記印字機構が、前記包装機構により前記取り出された錠剤が包装シートに包装されるまえに印字する錠剤供給システム。
図８を説明する。
図８は、薬剤包装ユニット７０１の内部構造を示す図である。
８０１は隣り合う一包化された包装シートの境界部分に形成された分断用ミシン目である。
８０２は一包化された包装シートである。エラー処理が発生した包装シートにはエラー情報の内容が印字（印刷）されている。
５０は一包化された錠剤である。
図９を説明する。
図９は薬剤包装装置５を上方から見た図である。
薬剤包装装置５の上部にある手撒き錠剤部１０３とそれを構成する錠剤マスの拡大図である。
９０１は手撒きによる錠剤をセットする１個の錠剤マス（ここでは４番目のマス）である。
【００４３】
錠剤マスは手撒きの錠剤をセットして、包装することが出来る。一番左上のマスが１包目に包装されるマスであり、その１つ下のマスが２包目、その下が３包目、１つ右の列に移動してその一番上のマスが４包目・・・と、左上から順に包装動作を行う。包装動作時に、同時に薬剤や錠剤供給装置１０を組み合わせて包装して１包化する事が出来る。
予め半端な数の錠剤が残っている錠剤シートから取り出されている錠剤を供給する。
５０は錠剤（３錠）である。
図１０を説明する。
【００４４】
図１０は薬剤包装装置５を上面から見た図である。散薬を薬剤包装装置５にて包装する場合、散薬のホッパ投入口へ散薬をセットする。散薬のホッパ投入口は３つある。それぞれの投入口を便宜上Ａ、Ｂ、Ｃと呼ぶ。
１００１は散薬のホッパ投入口Ａである。
１００２は散薬のホッパ投入口Ｂである。
１００３は散薬のホッパ投入口Ｃである。
【００４５】
これらの投入口は、散薬をセットして、包装することが出来る。包装動作時に、同時に錠剤マスや錠剤供給装置１０を組み合わせて包装して１包化する事も出来る。
図１１を説明する。
図１１は、プログラムの機能ブロック構成を示す図である。
４は調剤薬局に設置されている調剤コントローラ等の外部機器である。
９１１は外部機器で入力された処方箋データの内容を、出力フォーマットに沿った内容で処方箋データ保存部９１２へファイル出力する機能である。
９１２は外部機器と通信可能に接続されている制御コンピュータ３から参照可能な共有フォルダである。
３は錠剤供給装置１０および薬剤包装装置５を制御するための制御コンピュータである。
【００４６】
９２１は処方箋データ保存部９１２で処方箋データファイルが作成される事を監視している。処方箋データファイルが作成されたことを感知すると、処方箋データ解析部９２２の処理を開始する。
【００４７】
９２２は処方箋データ監視部で取得した処方箋データファイルの内容を、設定データ保存部９２６やユニットマスタ保存部９２７、および薬剤マスタ保存部９２８等のデータを元に解析して、患者情報や処方箋内容、薬剤の種別判定後の錠剤取出ユニットへの動作設定割り当てを処理する処方箋データ解析部である。
処方箋データファイルの内容が解析されたら、一時的に処方箋データ保存部に解析された処方箋データを保存する。
【００４８】
９２３は処方箋データ解析部で解析された処方箋データの内容を一時的に保存する処方箋データ保存部である。また、解析された処方箋データは追加で保存可能である。
【００４９】
９２４は受信データ画面の患者リスト２１０２で選択された処方箋データを、予約登録ボタン２１０４が押されることにより、選択した処方箋データを予約登録する予約登録データ作成部である。
【００５０】
受信データ画面の患者リスト２１０２で選択された処方箋データの内容を処方箋データ保存部９２３より取得して、通信コマンド処理部９３０で処理が可能なデータに作成し、予約登録データ保存部９２５へ保存する。
【００５１】
９２５は予約登録データ作成部９２４で作成された処方箋データの内容を一時的に保存する場所である。また、作成された処方箋データは追加で保存可能である。
【００５２】
９２６は、処方箋データ解析部９２２実行時において、処方箋データ監視部９２１で取得した処方箋データ内の薬剤の服用単位より薬剤の種類を判別するための設定データである。
例えば、薬剤の服用単位がｇである場合は散薬として判別する。また、薬剤の服用単位がＣａｐである場合は、錠剤として判別する。
９２７は、錠剤取出ユニットを固定して錠剤データを指定したい場合に設定されるデータベースのユニットマスタを保存している。
【００５３】
入力はユニットマスタ画面で行う。これは、調剤時において普段から同じ錠剤を多く使用する場合に、事前に頻繁に使用する錠剤データをユニットマスタ設定として登録しておくことにより、入力作業の手間を省く事が可能となる。
９２８は薬剤情報のデータベースである薬剤マスタを保存している。
マスタへの入力は、薬剤マスタ画面で行う。
９２９は受信データ画面が表示されている際に、薬剤のバーコードをスキャンすると実行される処理である。
【００５４】
９３０は錠剤供給装置１０および薬剤包装装置５の通信コマンド処理部９５１より遅くても最大２００ｍＳｅｃごとに、状態問い合わせ等のコマンドが、制御コンピュータ９２０の通信コマンド処理部９３０へ送信され、常に互いの情報がやり取りされている。
また、メイン画面のスタート開始ボタン２２０４を押すことにより、スタート開始コマンドを通信コマンド処理部９５１へ送信する。
通信コマンド処理部９５１で受信したスタート開始コマンドを解析して、包装動作部９５３を動作させることにより、包装動作が開始される。
【００５５】
９３１は処方箋データ解析部９２２の中で、薬剤の種類が錠剤である薬剤に関して。錠剤取出ユニットへの割り当て設定が終了した後の割り当てた薬剤情報の保存部である。処方箋データ解析部９２２が実行される度に割り当ての履歴情報が書き換えられる。
【００５６】
９５１は錠剤供給装置１０および薬剤包装装置５の電源がＯＮされることによりアクティブ状態となり、通信コマンド処理部９３０に対して通信コマンドの入出力を行う。通信コマンド処理部９３０より取得した通信コマンドを解析して、状況によりＬＥＤランプ部９５２の点灯または消灯動作、または包装動作部９５３の動作を制御する。
９５２は錠剤供給装置１０の各錠剤取出ユニットに搭載されているＬＥＤランプである。通信コマンド処理部９５１によって制御される。
９５３は薬剤包装装置機に搭載されている包装動作部である。通信コマンド処理部９５１によって制御される。
【００５７】
９２９は受信データ画面の患者リスト２１０２で処方箋データが選択されている状態において、バーコードスキャナ等でスキャンを行ったときに処理される機能である。取得したバーコード情報を元に、処方箋データ保存部９２３で割り当てられている錠剤取出ユニットのＬＥＤランプ部９５２を点灯する。
図１２を説明する。
図１２は、プログラムの機能ブロックを示す図である。
９２３は処方箋データ保存部である。制御コンピュータ３に入力された処方箋データを保存する場所である。
【００５８】
１１０２は処方箋データ編集表示部である。制御コンピュータで処方箋データを入力する表示部である。薬剤を入力する際、設定データ保存部より散剤または錠剤の判定情報を利用する。メイン表示部より呼び出される画面である。
【００５９】
１１０３は手撒き錠剤計算部である。処方箋データ編集表示部内で実行される処理である。計算の際、薬品（薬剤）マスタ保存部より薬品（薬剤）情報を使用する。
１１０４はメイン画面表示部である。制御コンピュータ３が起動すると始めに表示されるメイン画面である。
１１０５は薬剤セット画面表示部である。メイン表示部で入力された処方箋データによる包装動作開始を行うと、呼び出される画面である。
９３０は通信処理部である。錠剤供給装置１０及び薬剤包装装置５との通信をする処理である。
９２８は薬品（薬剤）マスタ保存部である。薬剤の情報がデータベースのファイルとして保存されている。
９２９はバーコード処理部である。薬剤セット表示部でバーコードをスキャンすると呼び出される処理である。処理の結果は薬剤表示部に戻される。
９２６は設定データ保存部である。薬剤と錠剤の判定情報がファイルに保存されている。
９５１は通信処理部である。制御コンピュータより送られた制御コマンドを解析して錠剤供給装置１０及び薬剤包装装置５の動作部を動作させる。
９５３は包装動作部である。通信処理部１１１１より制御されて動作する。
図１３は、プログラムの機能ブロック構成を示す図である。
１１０４はメイン画面表示部である。制御コンピュータが起動すると初めに表示されるメイン画面である。
１１０５はガイダンス表示部である。
９３０は通信処理部である。薬剤分包機または錠剤供給装置付き薬剤分包機より送られる制御コマンドを解析する。
１１０７は状態変数部である。通信処理部９３０でそれぞれの値が随時更新される。
１１０６は監視タイマー部である。状態変数部１１０７を一定間隔で監視して処理を実行している。
９５１は通信処理部である。制御コンピュータより送られる制御コマンドを解析する。解析後、錠剤供給装置及び薬剤包装装置の動作部を動作させる。
９５３は包装動作部である。散薬ホッパまたは錠剤マスまたは除包ユニットより薬剤が搬送されて包装紙へ包装する。
１１１３はＬＣＤ操作パネル１０４の表示部である。
１１１４は通信処理部である。通信処理部９５１より送られる制御コマンドを解析する。
１１１５は状態変数部である。通信処理部１１１４でそれぞれの値が随時更新される。
１１１６は監視タイマー部である。状態変数部１１１５を一定間隔で監視して処理を実行している。
図１４は制御コンピュータ３のハードウエア構成図を示す図である。
【００６０】
２５０１はＣＰＵで、システムバス２５０４に接続される各デバイスやコントローラを統括的に制御する。また、ＲＯＭ２５０２あるいは外部メモリ２５１１には、ＣＰＵ２５０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００６１】
２５０３はＲＡＭで、ＣＰＵ２５０１の主メモリ、ワークエリア等として機能する。ＣＰＵ２５０１は、処理の実行に際して必要なプログラム等をＲＯＭ２５０２あるいは外部メモリ２５１１からＲＡＭ２５０３にロードして、該ロードしたプログラムを実行することで各種動作を実現するものである。
【００６２】
２５０５は入力コントローラで、キーボード（ＫＢ）２５０９や不図示のマウス等のポインティングデバイス等からの入力を制御する。２５０６はビデオコントローラで、表示部２５１０への表示を制御する。なお、表示部２５１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
表示部２５０１は、錠剤マス１０３に手撒きの錠剤５０を投入すべきマス配列１９１２を案内するための錠剤マス画面１９０８を表示する。
【００６３】
２５０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２５１１へのアクセスを制御する。
【００６４】
２５０８は通信Ｉ／Ｆコントローラで、ネットワーク（通信貝回線）２を介して外部装置と接続・通信するものであり、ネットワークでの通信制御処理を実行する。例えば、ＴＣＰ／ＩＰを用いた通信等が可能である。
【００６５】
なお、ＣＰＵ２５０１は、例えばＲＡＭ２５０３内の表示情報用領域へアウトラインフォントの展開（ラスタライズ）処理を実行することにより、ＣＲＴ上での表示を可能としている。また、ＣＰＵ２５０１は、ＣＲＴ上の不図示のマウスカーソル等でのユーザ指示を可能とする。
【００６６】
本発明を実現するための後述する各種プログラムは、外部メモリ２５１１に記録されており、必要に応じてＲＡＭ２５０３にロードされることによりＣＰＵ２５０１によって実行されるものである。さらに、上記プログラムの実行時に用いられるデータファイル及びデータテーブル等も、外部メモリ２５１１または記憶部に格納されている。
【００６７】
また、本発明におけるプログラムは、フローチャートの処理を制御コンピュータ３が実行可能なプログラムであり、本発明の記憶媒体はフローチャートの処理方法を実行可能なプログラムとして記憶している。
【００６８】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００６９】
この場合、記録媒体から読み出されたプログラム自体が本発明の新規な機能を実現することになり、そのプログラムを記憶した記録媒体は本発明を構成することになる。
【００７０】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７１】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７４】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
図１５を説明する。
図１５は、制御用ＣＰＵの構成図である。
【００７５】
２５０１は制御コンピュータ３を制御するためのＣＰＵである。作業者が入力した包装数等の処方箋データから動作指示データを作成する機能や制御用ＣＰＵ２４０２との通信を行う機能を備えたアプリケーションソフトウエアがインストールされている。通信を介して、制御用ＣＰＵ２４０２，２４０３へ動作の開始命令や動作指示データの送信を行う。
２４０２は薬剤包装装置５を制御するためのＣＰＵである。制御用ＣＰＵ２４０１との通信に加え、薬剤包装装置の動作指示を行う。
２４０３は錠剤供給装置１０を制御するためのＣＰＵである。制御用ＣＰＵ２４０２との通信に加え、錠剤供給装置（各錠剤取出ユニット）の動作指示を行う。
図１６を説明する。
図１６は、外部機器４の処方箋データ保存部９１２に保存される処方箋データファイルの内容である。
処方箋データファイル内の１行ごとに、錠剤データまたは散薬データが記述されている。
１１１０１は、処方箋データファイルである。
【００７６】
１１１０２は、識別子の値である。値が１の時、患者情報の内容であることを示す。値が３の時、用法の内容であることを示す。値が４の時、１つの薬剤の内容であることを示す。なお出力される順番は先頭行より１→２→３→４である。
１１１０３は、患者コードの内容である。
１１１０４は、患者カナ氏名の内容である。
１１１０５は、患者漢字氏名の内容である。
１１１０６は、処方箋データファイルの各行である。錠剤データまたは散薬データの内容は行単位で書き込まれる。
１１１０７は、用法コードの内容である。
１１１０８は、日回数の内容である。
１１１０９は、薬剤のＹＪコードの内容である。
１１１１０は、薬剤の名前の内容である。
【００７７】
１１１１１は、薬剤の服用量の内容である。内容は服用時をカンマ区切りで区切られている。左から起床時、朝食後、昼食後、夕食後、寝る前、予備の順に各服用量を表す内容である。
１１１１２は、薬剤の服用単位の内容である。
１１１１３は、日回区分の内容である。値が１の時、日数の内容である。値が２の時、回数の内容である。
図１７を説明する。
図１７は、薬剤マスタのデータベースファイルの内容である。
薬剤マスタのデータベースファイル内の１行ごとに錠剤データまたは散薬データが記述されている。
【００７８】
１つの薬剤と対応づけて一意に対応する各種関連情報を持つことが出来き、各薬剤に対して各種関連情報設定を登録することが出来る。登録は、薬剤マスタ画面で行う。
１１４０１は薬剤（錠剤）Ｎｏである。登録されている薬剤を１つ１つ管理するための番号である。値は重複しない。値は１以上の値を設定する。
１１４０２は薬剤（錠剤）の販売名である。
【００７９】
１１４０３は薬剤（錠剤）の調剤包装単位コード（バーコード情報）である。ＰＴＰシート等に印字されているバーコード情報である。コード情報が存在しない薬剤の場合は空白を設定する。
【００８０】
１１４０４は薬剤（錠剤）の販売包装単位コードである。販売される最小の包装箱等に印字されているバーコード情報である。コード情報が存在しない薬剤の場合は空白を設定する。
【００８１】
１１４０５は薬剤（錠剤）の元梱包装単位コードである。販売包装単位を複数梱包した段ボール等に印字されているバーコード情報である。コード情報が存在しない薬剤の場合は空白を設定する。
【００８２】
１１４０６は薬剤（錠剤）の物流ＪＡＮコードである。販売される包装箱等に印字されているバーコード情報である。コード情報が存在しない薬剤の場合は空白を設定する。
１１４０７は薬剤（錠剤）のＹＪコードである。１２桁の管理コードである。
１１４０８は錠剤の手撒きフラグである。値はＯＮまたはＯＦＦが設定される。
この設定は、錠剤が落下の衝撃等で割れ易い場合、割れないように通常は薬剤包装装置機の錠剤マス９０１で、錠剤を手撒きして包装させるための設定である。
これらは、作業者である薬剤師が経験則的に知りえる情報である。
１１４０９は錠剤データ配置エリア（領域）設定情報として登録されている錠剤取出ユニットの番号である。
【００８３】
この設定は、質量が軽い（軽量の）錠剤のＰＴＰシートを錠剤取出ユニットで除包させた場合に、錠剤を落下させて薬剤包装装置に供給させるため、錠剤供給装置１０の内部を取り出された錠剤が通る経路（４０１や４０２）の距離が長くなったり、または錠剤が転がりにくい等の原因で、包装機構７０１による時間内の包装動作に錠剤の供給が間に合わず、供給された錠剤が別の（間違った）包装シートに入ってしまい、包装シートに包装される錠剤の数量が違ってしまう問題が発生してしまう。
これらは、薬剤の情報が掲載されている製薬メーカー発行の添付文書、または作業者の薬剤師が経験則的に知りえる情報である。
値は錠剤取出ユニットの番号が優先順位で設定される。
配置エリア設定をしない場合は空白、
【００８４】
配置エリア設定の錠剤取出ユニットの番号が複数設定されている場合は、カンマ区切りで設定保存される。図では、錠剤取出ユニットの番号１から優先順位が高く順に２、３が設定されている値である。
１１７０８は包装単位数である。ＰＴＰシートなどで、薬剤が包装されている最小単位の中で、梱包されている薬剤数である。
１１７０９は薬剤単位である。薬剤の数量単位である。
図１８を説明する。
【００８５】
図１８は、ユニットマスタのデータベースファイルの内容である。１つの錠剤取出ユニットに対して、１行の情報を持つことが出来き、複数の錠剤取出ユニットの設定を登録することが出来る。登録は、ユニットマスタ画面で行う。
１１５０１は錠剤取出ユニットの番号である。錠剤取出ユニットの番号１〜１８の番号が登録されている。
【００８６】
１１５０２は錠剤取出ユニットの番号１５０１に設定されている、薬剤の管理番号１１４０１の値が設定される。錠剤が設定されている場合は１以上の値が設定される。また、錠剤が設定されていない場合は、０の値が設定される。
図１９を説明する。
図１９は、設定データファイルの内容である。制御コンピュータ上に保存されているファイルである。
１２１０１は散薬であることの判定データである。値はカンマ区切りであり、個々の値が単位である。
１２１０２は錠剤であることの判定データである。値はカンマ区切りであり、個々の値が単位である。
図２０を説明する。
図２０は、メイン画面である。
【００８７】
１３０１はスタートボタンである。ユーザに押下されると予約リスト１３０７に登録されている処方データの内容を、スタート時表示モードでガイダンス画面に移行する。
１３０２は処方編集ボタンである。ユーザに押下されると処方リスト１３０５で選択れている処方データの内容で処方画面に移行する。
【００８８】
１３０３はガイダンス画面の表示ボタンである。ユーザに押下されると処方リスト１３０５で選択されている処方データの内容を確認表示モードでガイダンス画面に移行する。
１３０４は予約ボタンである。ユーザに押下されると処方リスト１３０５で選択されている処方データを予約リスト１３０７へ登録する。
１３０５は処方リストである。各処方データは個別に処方編集ボタン１３０２より変更することが出来る。
１３０６は患者情報エリアである。患者名などの基本情報を設定するエリアである。
１３０７は予約リストである。分包動作させたい処方データを事前に登録することが出来る。
図２１を説明する。
図２１は散薬ガイダンス画面であり、分包する散薬を正しくホッパ（１００１〜１００３）にセットするための案内画面である。
４３０１は次へボタンである。
４３０２は散薬リストである。処方データ内の薬剤データのセット方法が散薬の薬剤が表示される。
４３０３は散薬ホッパ選択表示エリアである。処方データで設定された散薬ホッパを表示するエリアである。図の例ではホッパＡに散薬を投入する設定である。
図２２を説明する。
図２２は手撒き錠剤ガイダンス画面（繰り返し分包設定時）であり、分包する錠剤を正しく手撒きの錠剤マス１０３にセットするための案内画面である。
１９０１は処方データの分包パターンが繰り返しの場合に表示される画面である。
１９０２は次へボタンである。ユーザに押下されると、ユニット画面へ遷移する。
１９０３はＸボタンである。ガイダンス画面を閉じてメイン画面（図２０）へ遷移する。
【００８９】
１９０４は錠剤マス色の説明エリアである。服用時の錠剤マス色を１４０３の設定に従って表示する。また、服用の開始時点は強調して表示する。画面では昼食後を太文字で強調表示している。
【００９０】
１９０５は＞ボタン（次へ進むボタン）である。ユーザに押下されると、１回のセットで分包処理が完了しない時に次回の手撒き錠剤のセット内容を錠剤マスエリア１９０８へ表示するためのものである。
【００９１】
１９０６は薬剤の服用パターン列である。１−０−１は朝食後（１錠）―昼食後（なし）―夕食後（１錠）を意味する。２−２−２は朝食後（２錠）―昼食後（２錠）―夕食後（２錠）を意味する。用法に従ったそれぞれの薬剤の服用時毎の服用量を表示している。また、服用の開始時点は強調して表示される。画面では昼食後から服用開始するために昼食後の服用量を太文字で強調表示している例である。
１９０７は錠剤リスト（錠剤名画面）である。処方データの薬剤内容で手撒き錠剤の薬剤のみを表示する。
１９０８は錠剤マスエリア（錠剤マス画面）である。表示Ｎｏ１９１０に従って手撒き錠剤のセット内容を表示する。
１９１０のＮｏ１（１回目）は１〜４５包目を表している。
【００９２】
表示がＮｏ２（２回目）の場合は、続きである４６〜９０包目のセット内容を表している。錠剤マスエリア内には錠剤マスがそれぞれ表示されており、錠剤マスエリアは実際の分包機の錠剤マスと同一のレイアウトであり、錠剤マスを配列上に表示する。錠剤マスは、錠剤リストと連動した錠剤アイコンおよび錠剤マス色を表示している。
【００９３】
画面では錠剤リスト１９０７に登録されているティーエスワン配合カプセルＴ２０の錠剤アイコンは赤色で定義されており、錠剤マスエリア１９０８内のそれぞれ手撒きする位置を示した錠剤マス位置に錠剤アイコンを表示する。
【００９４】
また、１９０７に登録されているセルベックスカプセル５０ｍｇについては、錠剤アイコンの色は黄色で定義されているため、１９０８上において黄色の錠剤アイコンで表示する。
【００９５】
１９０９は＜ボタン（前に戻るボタン）である。ユーザに押下されると、前回に分包処理が完了した手撒き錠剤のセット内容を錠剤マスエリア１９０８へ履歴表示することができる。
１９１０は錠剤マスＮｏエリアである。表示は分包機５の錠剤マス１０３と同一のレイアウトである。
１９１１はメッセージ表示エリアである。
【００９６】
１９１４はガイダンス画面表示の切り替えエリアである。１ボタンがユーザに押下されると、ガイダンス画面の散薬画面を表示する。２ボタンがユーザに押下されると、錠剤画面を表示する。３ボタンがユーザに押下されると、ユニット画面を表示する。
図２３を説明する。
図２３は手撒き錠剤ガイダンス画面（繰り返し分包設定時）であり、分包する錠剤を正しく手撒きの錠剤マス１０３にセットするための案内画面である。
【００９７】
１９３１は分包途中で表示されるガイダンス画面である。例えば包装数が６３包の場合、錠剤マス１０３は物理的に４５包分のマスしかないため、実際の手撒き作業は１回目４５包、２回目１８包に分けて作業することになる。２回目の包装動作を行う際に、分包機５は自動的に一時停止する。
【００９８】
これは作業者に２回目の手撒き作業を錠剤マス１０３へセットしてもらう為である。本画面は分包機５が自動的に一時停止した際、２回目の手撒き位置を示したガイダンス画面を自動で表示させます。この表示内容は前記＞ボタン（次へ進むボタン）１９０５を押した際の次回（２回目）の表示内容と同一であります。
１９３２はスタートボタンである。ユーザに押下されると、分包動作が再開される。
１９３３はメッセージ表示エリアである。２回目以降の内容を表示する。
図２４を説明する。
図２４は手撒き錠剤ガイダンス画面（連続分包設定時）であり、分包する錠剤を正しく手撒きの錠剤マス１０３にセットするための案内画面である。
１９４１は処方データの分包パターンが連続の場合の画面である。
図２５を説明する。
図２５は手撒き錠剤ガイダンス画面（繰り返し分包設定時）であり、分包する錠剤を正しく手撒きの錠剤マス１０３にセットするための案内画面である。
【００９９】
１９２１は錠剤アイコンの強調表示された場合の錠剤画面である。錠剤リスト１９０７で薬剤（セルベックスカプセル５０ｍｇ）がユーザに選択されると、強調表示が実行され選択された錠剤に対応するアイコンのみを強調表示する。また、キャンセル動作を行うと強調表示が実行され全ての錠剤アイコンを表示する。
【０１００】
１９２２は錠剤アイコンである。図の場合、１９０７内のセルベックスカプセル５０ｍｇを選択した状態であり、錠剤アイコンは強調表示された状態である。強調表示された錠剤アイコン内には薬剤の服用時に従った服用量（錠剤マスにセットすべき錠剤数）を表示する。また、選択されていない他の薬剤（ティーエスワン配合カプセルＴ２０）に対応する錠剤アイコンは逆に非強調される。さらに、錠剤マス色は非強調される。
【０１０１】
さらに、錠剤マス１０３にセットする錠剤に使用するＰＴＰシートに表記されているバーコード等をスキャンして、処方データの内容と照らし合わせて使用するＰＴＰシートである場合、自動で前記の強調表示することもできる。スキャンの処理内容はバーコード処理で示す。特に手撒きにセットする錠剤を、ユーザが目で見て正しい錠剤かを判別することは非常に困難であるため、間違った錠剤を錠剤マス１０３にセットすることを防止する機能である。
図２６を説明する。
図２６はＰＴＰシートガイダンス画面であり、分包するＰＴＰシートを正しく錠剤取出しユニット１にセットするための案内画面である。
２００１は分包開始前のガイダンス画面である。
２００２はスタートボタンである。選択すると処方データの内容で分包機５が分包動作を開始する。
【０１０２】
２００３は錠剤取出しユニットエリアである。エリア内には錠剤取出しユニットボタンがあり、処方データの内容に従って錠剤取出しユニットボタンの状態が変化する。
【０１０３】
表示直後の錠剤取出しユニットボタンは未選択状態となっており、処方データ内で設定された全ての錠剤取出しユニットを選択した状態でないと、スタートボタンが有効にならない。こうすることにより、作業者がＰＴＰシートのセット忘れを防止する目的がある。
【０１０４】
また、錠剤取出しユニットにセットするＰＴＰシートに表記されているバーコード等をスキャンして、処方データの内容と照らし合わせて使用するＰＴＰシートである場合、自動で前記のユニットボタンの状態を選択状態にすることもできる。スキャンの処理内容はバーコード処理で示す。これらの機能を簡易監査機能と呼ぶ。間違ったＰＴＰシートを錠剤取り出しユニットへセットしてしまうことを防止する機能である。
２０１１は確認表示のガイダンス画面である。メイン画面にて、処方リスト１３０５で選択されている処方データを１３０３より呼び出される画面表示である。
２０１２は閉じるボタンである。選択するとメイン画面へ遷移する。
図２７を説明する。
図２７は、メイン画面で選択された処方データを編集する為の処方データ編集画面の処方データタブである。
１５０１は処方データタブである。選択すると処方データタブへ遷移する。
１５０２は錠剤取出しユニットタブである。選択すると錠剤取出しユニットタブへ遷移する。
１５０３は薬剤詳細タブである。選択すると薬剤詳細タブへ遷移する。
１５０４は設定ボタンである。選択するとその他の設定画面へ遷移する。
１５０５は日回数エリアである。分包機が包装する為の包数を設定する。
１５０６は服用パターンエリアである。分包モードエリア１５０８の内容を元に散薬および手撒き錠剤の服用時の包装タイミングを設定する。
１５０７は用法エリアである。用法の内容を設定する。服用時や服用の開始時点を設定することが出来る。用法マスタで登録されている内容を表示する。
１５０８は分包モードエリアである。分包機の動作設定である。
散薬のみまたは散薬とユニットからの錠剤を包装する場合、散薬ボタンを選択する。
【０１０５】
また手撒き錠剤または手撒き錠剤とユニットからの錠剤を包装する場合、錠剤ボタンを選択する。散薬と錠剤を混合した薬剤または混合した薬剤とユニットからの錠剤を包装したい場合、同時または交互ボタンを選択する。ユニットのみで動作させたい場合ユニットボタンを選択する。
図２８を説明する。
図２８は、メイン画面で選択された処方データを編集する為の処方データ編集画面の錠剤取出しユニットタブである。
【０１０６】
１７０１は端数の手撒き錠剤数設定である。ユニット選択エリア１７０４で選択されたユニットの端数の手撒き錠剤数を設定する。また設定を変更するとユニット選択エリア１７０４のユニット上に端数の手撒き錠剤数を表示する。
端数の手撒き錠剤数設定とは、選択されたユニットと手撒き錠剤を組み合わせて包装動作させる設定である。
【０１０７】
具体的に順で説明すると分包数を６３包とした場合、作業者はまずピッキング作業を行うので、セルベックスカプセル５０ｍｇを新品のＰＴＰシート６枚（合計６０カプセル）と端数シートに残っている３カプセルをピッキング（手で押し出し）する。
【０１０８】
セルベックスカプセル５０ｍｇは１シートに１０カプセル包装されているＰＴＰシートでる。この場合、除包ユニットへ６シートをセットして手で押し出すための端数のＰＴＰシートの３カプセルは手撒き錠剤としてセットします。
【０１０９】
上記のような指示をすると図２８となる。図２８ではセルベックスカプセル５０ｍｇをユニット１で毎食後２カプセルずつ、端数の手撒き錠剤数３カプセルを設定している状態を示している。
【０１１０】
端数のＰＴＰシートの３カプセルの手撒き錠剤は錠剤マス１０３へユーザが手で押し出してからセットする。この場合のガイダンス画面は、図２５となり、１マス目に２カプセル、２マス目に１カプセルをセットする。
【０１１１】
包装動作を開始すると、１マス目の２カプセルを１包目、２マス目の１カプセルを２包目、残りの１カプセルは錠剤取出しユニット１より１カプセル除包して包装し、３包目以降は錠剤取出しユニット１より全て２カプセルずつ除包動作させます。
【０１１２】
この作業（端数の手撒き錠剤数設定機能）により、端数シートを効率的に作業することが可能となる。端数のＰＴＰシートは除包ユニットにセットできない制限がある為である。
【０１１３】
１７０２は服用パターンエリアである。錠剤取出しユニット選択エリア１７０４で選択されたユニットの服用パターンを設定する。服用時は用法エリア１５０７の用法と連動している。設定を変更するとユニット選択エリア１７０４のユニット上に内容を表示する。
【０１１４】
１７０３は薬品の選択ボタンである。ユニット選択エリア１７０４で選択されたユニットの薬剤を設定する。設定を変更するとユニット選択エリア１７０４のユニット上に内容を表示する。
【０１１５】
１７０４は錠剤取出しユニット選択エリアである。このエリアの中にはユニット番号が表示されたユニットボタンが配列上に複数存在する。また、実際の錠剤供給装置の並び方と対応したボタン配置である。ユニットボタンを選択した場合、端数の手撒き錠剤数１７０１や服用パターンエリア１７０２や薬品の選択ボタン１７０３で設定された内容は、選択したユニットボタンの内容を表示する。
【０１１６】
さらに内容は薬剤詳細画面の薬剤詳細リスト１８０２へ追加する。また、選択を解除した場合は表示を無効にする。さらに薬剤詳細リスト１８０２でユニットに対応した薬剤情報は削除される。
図２９を説明する。
図２９は、メイン画面で選択された処方データを編集する為の処方データ編集画面の薬剤詳細タブである。
【０１１７】
１８０１はＯＫボタンである。設定した内容を確定して画面を閉じる。また確定した内容は処方リスト１３０５の処方データへ上書きされる。メイン画面（図１３）へ遷移する。
１８０２は薬剤詳細リストである。追加ボタン１８０３等により薬剤情報を追加する。この薬剤情報は分包紙への印字等で使用する。
１８０３は追加ボタンである。選択すると薬剤を選択することができる。選択された薬剤は薬剤詳細リスト１８０２へ登録する。
図３０を説明する。
図３０は、その他の設定画面である。
１６０１は分包パターンである。薬剤の包装パターン（繰り返しまたは連続のいずれか）を設定する。
１６０２はＯＫボタンである。設定した内容を確定して画面を閉じ処方データ編集画面へ遷移する。
図３１を説明する。
図３１は、オプション画面である。
１４０１は表示タブである。表示関連の設定をする。
１４０２はＯＫボタンである。設定した内容を確定して画面を閉じる。次にメイン画面へ遷移する。
【０１１８】
１４０３はマス配列の色設定エリアである。ガイダンス画面の錠剤画面のマス配列１９１２の配色を設定する。起床時、朝、昼・・・等の各ボタンを選択すると、配色群の設定画面（図示しない）を表示して、色の設定をする。
【０１１９】
このオプション画面において制御コンピュータ３は服用時配色データに記憶させる服用時ごとに固有な配色を、ユーザ所望の配色群から指定する（配色指定手段）。
【０１２０】
このオプション画面において制御コンピュータ３は指定されたユーザ所望の配色を、表示要求を受け付けた錠剤マス画面において前記服用時配色データが記憶する固有な配色ごとのマス配列に区分して表示するべく、複数の服用時と当該服用時ごとに固有な配色として登録する（配色登録手段）。例えば起床時ボタンの色を黄色に設定すると、起床時に設定されたマス配列１９１２の内容が起床時の場合に黄色で表示する。これは薬局ごとに色ルールが異なる場合がある為、変更が可能となっている。例えばＡ薬局では朝を青色と決めているが、Ｂ薬局では朝を黒色と決めている場合がある為である。
【０１２１】
１４０４はガイダンス画面の表示設定エリアである。薬剤画面とは選択した処方データ内の薬剤に散薬が存在した場合に表示される画面である。また、錠剤画面とは選択した処方データ内の薬剤に錠剤またはユニットの端数の手撒き錠剤が存在した場合に表示される画面である。また、ユニット画面とは選択した処方データ内の薬剤にユニットの錠剤が存在した場合に表示される画面である。例えば錠剤画面をＯＦＦにした場合、処方データ内の薬剤に錠剤がある場合でガイダンス画面を表示した際、錠剤画面を表示しない。
【０１２２】
１４０５はガイダンス画面の表示有無設定である。包装前のガイダンスまたは包装途中のガイダンス画面の表示有無を設定する。なお包装途中とは、次回の手撒き錠剤セット時に分包機が一時停止した時の状態である。
１４０６は全般画面ボタンである。選択すると全般画面１４２１へ遷移する。
図３２を説明する。
図３２は、オプション画面である。
１４２１は全般タブである。プログラムの基本的な設定をする。
【０１２３】
１４２２はガイダンス画面を表示している際の音設定である。包装開始後、２回目以降のガイダンス画面（包装途中のガイダンス）を表示した時に音を鳴らすかの有無設定である。なお包装途中とは、次回の手撒き錠剤セット時に分包機が一時停止した時の状態である。
１４２３は表示画面ボタンである。選択すると表示画面１４０１へ遷移する。
図３３を説明する。
図３３は、各画面の遷移をまとめたものである。
１２０１はガイダンス画面の散薬ガイダンス画面である。
１２０２はメイン画面である。制御コンピュータが起動すると初めに表示されるメイン画面である。
１２０３は処方データ編集画面の処方データタブである。
１２０４はその他の設定画面である。
１２０５は処方データ編集画面の錠剤取出しユニットタブである。
１２０６は処方データ編集画面の薬剤詳細タブである。
１２０７はオプション画面の全般タブである。
１２０８はオプション画面の表示タブである。
１２０９はガイダンス画面の手撒き錠剤ガイダンス画面である。
１２１０はガイダンス画面のＰＴＰシートガイダンス画面である。
図３４を説明する。
図３４はタッチパネルＬＣＤ１０４が表示する画面である。
１３２１はタッチパネルＬＣＤ１０４が表示するメイン画面である。
１３２２はスタートボタンである。選択すると、即時画面上の処方内容で包装動作を開始する。
１３２３は分包パターンエリアである。
４６０１は処方データの分包パターンが繰り返しの場合の手撒き錠剤ガイダンス画面である。
４６０２はメッセージ表示エリアである。
４６０３はスタートボタンである。選択すると包装動作を開始する。
４６０４は＞ボタンである。選択すると次回手撒き錠剤時の内容を錠剤マスエリア１９０８へ表示する。
４６０５は＜ボタンである。選択すると前回手撒き錠剤時の内容を錠剤マスエリア１９０８へ表示する。
４６０６は錠剤マスエリアである。
４６０７は錠剤マスＮｏ表示エリアである。
図３５を説明する。
図３５は分包パターンの包装結果の説明内容である。図では用法が分３毎食後の６３包の内容を包装した場合を説明している。
【０１２４】
２４０１は分包パターンが繰り返しの場合である。繰り返しとは、１包目から朝食後、昼食後、夕食後、朝食後・・・の順で６３包まで繰り返し包装されるパターンである。
【０１２５】
２４１１は分包パターンが連続の場合である。連続とは、１包目から２１包目までを朝食後で包装し、２２包目から４２包目までを昼食後で包装し、４３包目から６３包目まで夕食後で包装するパターンである。  図３６と図３７と図３８を説明する。
ここではユーザの操作手順と図３６のメイン処理、図３７のガイダンス表示処理、図３８の錠剤選択処理のフローチャートを組み合わせて説明する。
【０１２６】
ユーザは制御コンピュータ３に処方箋の内容を入力するためにメイン画面（図２０）の患者情報エリア１３０６に、患者ＩＤ、患者名（漢）、患者名（カナ）を入力する。
制御コンピュータ３は、処方データを編集する処方編集ボタン１３０２が選択されると処方タブ（図２７）を表示する。
ユーザは分包モードエリア１５０８では散薬と錠剤の同時を選択する。
ユーザは用法エリア１５０７で分３毎食後（朝、昼、夕）と昼食後に開始（服用開始）を選択する。
【０１２７】
ユーザは日回数エリア１５０５で２１日分を入力する。この場合、実際の包装動作で作成される薬包数は、１日３回の３と２１日分の２１を掛けた値が、合計の薬包数の６３包となる。
【０１２８】
ユーザは服用パターンエリア１５０６で、散薬（ＦＫ配合散）の服用パターンを昼食後と夕食後に設定し、手撒き錠剤（あとで薬剤詳細リストに登録するティーエスワン配合カプセルＴ２０）の服用パターンを朝食後と夕食後に設定する。
制御コンピュータ３は設定ボタン１５０４が選択されると、その他の設定画面（図３０）を表示する。
ユーザは分包パターン１６０１を繰り返しに設定する。
制御コンピュータ３はＯＫボタン１６０２が選択されると、処方タブ（図２７）を表示する。
制御コンピュータ３はユニットボタン１５０２が選択されると、ユニットタブ（図２８）を表示する。
ユーザはユニット選択エリア１７０４内のユニット番号１の錠剤供給装置（＝ユニット１）を選択して、選択ＯＮ状態にする。
ユーザは薬品の選択ボタン１７０３を選択して、セルベックスカプセル５０ｍｇの薬剤を設定する。
ユーザは服用パターンエリア１７０２に、セルベックスカプセル５０ｍｇの各服用時（朝食後、昼食後、夕食後）に全て２錠を設定する。
ユーザはセルベックスカプセル５０ｍｇの端数の手撒き錠剤数設定１７０１に３錠を設定する。
【０１２９】
制御コンピュータ３は薬剤詳細タブ１５０３が選択されると、薬剤詳細タブ（図２９）を表示する。セルベックスカプセル５０ｍｇの薬剤が薬剤詳細リスト１８０２へ自動で追加されている。
ユーザは追加ボタン１８０３を選択して、ＦＫ配合散を薬剤詳細リスト１８０２へ追加登録する。
ユーザは追加ボタン１８０３を選択して、ティーエスワン配合カプセルＴ２０を薬剤詳細リスト１８０２へ追加登録する。
制御コンピュータ３はＯＫボタン１８０１を選択されると、メイン画面（図２０）を表示する（Ｓ１０１）。
【０１３０】
ユーザは予約リスト１３０７に設定した処方データ（分包データ）を登録する為に、ここまでに編集した処方データを処方リスト１３０５より選択して、予約ボタン１３０４を選択する。
制御コンピュータ３は予約ボタン１３０４が押下されると、選択された処方データを予約リスト１３０７へ登録する。
【０１３１】
制御コンピュータ３はスタートボタン１３０１（あるいはガイダンス画面の表示ボタン１３０３）が押下されたと判断する（Ｓ１０２）と、まずガイダンス画面の中の散薬セット画面（図２１）を表示する。（散薬ガイダンス画面）
【０１３２】
散薬ガイダンス画面では処方データ内の散薬の情報を表示する。散薬リスト４３０２にＦＫ配合散の服用パターンが昼食後と夕食後に各１ｇずつ服用され、さらに散薬の一覧リスト４３０２には服用の開始時点としての昼食後の服用量（１ｇ）が強調して表示される。
散薬の一覧リスト４３０２には１日２包×２１日分の合計の４２ｇが表示される。
さらに、ホッパー選択表示エリア４３０３にはホッパーＡが自動で選択されている。
ユーザはここで散薬であるＦＫ配合散をホッパーＡに投入する。
制御コンピュータ３は次へボタン４３０１が選択されると、手撒き錠剤ガイダンス画面の表示処理（Ｓ１０３）を実行する。
（手撒き錠剤ガイダンス画面）
Ｓ１０２で制御コンピュータ３は、複数の服用時に応じた錠剤マス画面の表示要求を受け付ける（画面表示要求受付手段）。
【０１３３】
制御コンピュータ３は手撒き錠剤ガイダンス画面１９０１で服用の開始時点であるの昼食後を強調して表示する。さらに手撒き錠剤の一覧リスト１９０７の服用パターン１９０６では服用の開始（分包の開始）時点である昼食後のティーエスワン配合カプセルＴ２０の服用量（０錠）を強調して表示する（Ｓ２０１）。
【０１３４】
Ｓ２０１で制御コンピュータ３の表示部２５１０あるいはタッチパネルＬＣＤ１０４に、錠剤マス１０３に手撒きの錠剤を投入すべき錠剤名の一覧を案内するための錠剤名画面１９０７を表示する（錠剤名表示手段）。
【０１３５】
制御コンピュータ３は手撒き錠剤ガイダンス画面の、手撒き錠剤の錠剤マス１０３の配列を再現した錠剤マス欄１９０８には服用時別に錠剤マス色を分けて表示する（Ｓ２０２）。
【０１３６】
Ｓ２０２で制御コンピュータ３は、錠剤マス画面１９０８において複数の服用時を識別可能なように、表示要求を受け付けた錠剤マス画面を服用時配色データが記憶する固有な配色ごとのマス配列１９１２に区分しての表示部２５１０あるいはタッチパネルＬＣＤ１０４に表示する（区分表示制御手段）。
【０１３７】
なお、昼食後（赤色）に区分さる４包目、７包目、、、、４０包目、４３包目のマスには、錠剤取出しユニットから錠剤（セルベックスカプセル５０ｍｇ）が供給されるため、手撒きが不要であるので、昼食後に固有な赤色マス配列１９１２には区分されて表示されない（図２２）。
【０１３８】
さらに、制御コンピュータ３は、服用が開始される時点を含んだ複数の服用時に応じた錠剤マス画面の表示要求を受け付けた場合には、区分表示制御手段が固有な配色別に区分して表示するともに、服用が開始される時点に対応する服用時に関連づけされている配色がはじめに包装されるマス配列になるように区分して表示するマス配列の配色の並びを替えている（配色並替手段）。つまり服用が開始される時点である赤色（昼食時）のマス配列が、錠剤マス１０３において１包目としてはじめに包装される位置（上段または左側）に配置されるように並び替えをすることで、固有な配色ごとのマス配列を種々のパターンがある服用が開始される時点にも自動で対応して並び替えている。
【０１３９】
さらに制御コンピュータ３は、表示される錠剤マス画面１９０８のマス内に、錠剤名画面１９０７において案内されている錠剤名を、当該錠剤名毎にそれぞれ対応する錠剤アイコン１９１３で色分けして表示する（錠剤アイコン表示手段）。
【０１４０】
さらに、制御コンピュータ３は手撒き錠剤ガイダンス画面で、各色（青、赤、緑）とそれぞれ対応づけされているそれぞれの服用時の説明（朝食後、昼食後、夕食後
１９０４も錠剤マス欄１９０８の近傍に表示する（Ｓ２０３）。
【０１４１】
Ｓ２０３で制御コンピュータ３は、ここで表示される錠剤マス画面において、服用時配色データにより固有な配色にそれぞれ対応づけられている服用時の名称（説明）１９０４を区分表示制御手段が固有な配色別に区分して表示するマス配列の近傍に表示する（服用時名称表示手段）。
【０１４２】
制御コンピュータ３は手撒き錠剤ガイダンス画面の錠剤マス番号エリア１９１０に、３包毎の各列のマス番号が画面からわかるように、錠剤マス１０３の番号と対応するように１包目から４包目、７包目、、、４３包目までを錠剤マス欄の上部に表示する（Ｓ２０４）。
【０１４３】
制御コンピュータ３はメッセージ欄１９１１には、現在表示されているガイダンス画面が、１回目（始め）の分包処理の１包目〜４５包目までの手撒き錠剤ガイダンス画面であることがわかるような、メッセージを表示する。
制御コンピュータ３は設定された分包パターンが繰り返しであるかいなかを判断する（Ｓ２０５）。
【０１４４】
制御コンピュータ３はＳ２０５で繰り返しであると判断された場合には、繰り返しの手撒き錠剤ガイダンス画面（図２２）を表示する（Ｓ２０６）。Ｓ２０２に従って図２２の場合、例えば昼食後（上段）としてセットするマス配列は赤色に表示され、同様に夕食後（中段）は緑色に表示され、朝食後（下段）は青色に表示される。  
【０１４５】
制御コンピュータ３はＳ２０５で繰り返しではなく連続であると判断された場合には、連続の手撒き錠剤ガイダンス画面（図２４）を表示する（Ｓ２０７）。Ｓ２０２に従って図２４の場合は、例えば昼食後（左列）としてセットするマス配列は赤色に表示され、同様に夕食後（中列）は緑色に表示され、朝食後（右列）は青色に表示される。
【０１４６】
制御コンピュータ３は手撒き錠剤ガイダンス画面（図２２あるいは図２４）を表示している間に、手撒き錠剤の一覧リスト（錠剤名画面）１９０７から特定の錠剤（例えばセルベックスカプセル５０ｍｇ）がユーザにより選択されたかいなかを判断する（Ｓ３０１）。
【０１４７】
Ｓ３０１で制御コンピュータ３は、表示される錠剤名画面１９０７の錠剤名の一覧から、ユーザ所望の錠剤名を選択させる（錠剤名選択手段）。ここで特定の錠剤が選択されたと判断した場合にはＳ３０２に進む。選択されない（または選択がキャンセルされた）場合には、Ｓ３０６に進む。
【０１４８】
ユーザが錠剤５０を錠剤マス１０３に錠剤をセットする。ユーザが錠剤５０毎の手撒きセット位置を分かり易いように、制御コンピュータ３はセルベックスカプセル５０ｍｇが選択されたと判断された場合には、制御コンピュータ３は手撒き錠剤ガイダンス画面の錠剤マス欄１９０８では、セルベックスカプセル５０ｍｇの錠剤アイコン（黄色）だけを強調するためにそのまま表示し（Ｓ３０２）、選択されていないティーエスワン配合カプセルＴ２０の錠剤アイコン（赤色）を錠剤マス欄１９０８から減色（薄い色に変更や灰色に変更等）または完全消去する（Ｓ３０４）ことで目立たないようにする。
【０１４９】
ここではさらに、セルベックスカプセル５０ｍｇに対応する錠剤アイコン（黄色）の中だけ．錠剤マス１０３毎に投入すべき錠剤数（服用数）１９２２を表示する（Ｓ３０３）。
【０１５０】
ここではさらに錠剤マス欄１９０８では、Ｓ２０２の服用時別に分けたマス配列１９１２の配色の表示をすべて消去（Ｓ３０５）することで、セルベックスカプセル５０ｍｇの錠剤アイコン（黄色）だけを更に強調することができる。
【０１５１】
Ｓ３０５で制御コンピュータ３は、錠剤名選択手段により、ユーザ所望の錠剤名が選択された場合には、錠剤マス画面１８０８のマス中に錠剤名毎に色分けされた錠剤アイコンを表示したままで、Ｓ２０２での錠剤マス画面において複数の服用時を識別可能なようにマス配列に区分して表示している固有な配色が消去されるように、区分表示制御手段が表示制御している。
【０１５２】
制御コンピュータ３は手撒き錠剤ガイダンス画面（図２２あるいは図２４）を表示している間に、ＰＴＰシートからバーコードの読み取りスキャン処理が実行されたかいなかを判断する（Ｓ３０６）。ここで実行されたと判断した場合には、Ｓ３０７に進む。実行されないと判断された場合には、Ｓ１０４に進む。
【０１５３】
制御コンピュータ３は読み取ったＰＴＰシートのバーコードが、手撒き錠剤の一覧リスト（錠剤名画面）１９０７にある錠剤のいずれかと一致するかいなかを判断する（Ｓ３０７）。ここで一致（照合ＯＫ）すると判断した場合には、Ｓ３０８に進む。一致しない（照合ＮＧ）と判断された場合には、Ｓ３１２に進む。
【０１５４】
ユーザが錠剤５０毎に錠剤マス１０３に錠剤をセットする時にユーザセットする錠剤が正しいのかを照合できるように、制御コンピュータ３はセルベックスカプセル５０ｍｇが照合されたと判断された場合には、制御コンピュータ３は手撒き錠剤ガイダンス画面の錠剤マス欄１９０８では、照合されたセルベックスカプセル５０ｍｇの錠剤アイコン（黄色）だけを強調するためにそのまま表示し（Ｓ３０２）、バーコートにより照合された錠剤以外のティーエスワン配合カプセルＴ２０の錠剤アイコン（赤色）は錠剤マス欄１９０８から減色（薄い色に変更や灰色に変更等）または完全消去する（Ｓ３０４）ことで目立たないようにする。
【０１５５】
ここではさらに、バーコートにより照合されたセルベックスカプセル５０ｍｇの錠剤アイコン（黄色）だけに錠剤アイコン（黄色）の中に錠剤マス１０３毎に投入すべき錠剤数（服用数）１９２２を表示する（Ｓ３０３）。
【０１５６】
ここではさらに錠剤マス欄１９０８では、Ｓ２０２の服用時別に分けたマス配列１９１２の配色の表示をすべて一旦消去（Ｓ３０５）することで、照合されたセルベックスカプセル５０ｍｇの錠剤アイコン（黄色）だけを更に強調することができる。
【０１５７】
錠剤マス１０３に錠剤であるティーエスワン配合カプセルＴ２０（４２錠）とセルベックスカプセル５０ｍｇ（３錠）を錠剤マス１０３にユーザによる手撒き投入が完了する
ユーザは次へボタン１９０２を選択する。
（ＰＴＰシートガイダンス画面）
制御コンピュータ３はＰＴＰシートガイダンス画面のユニット画面（図２６）の２００１を表示する。
【０１５８】
ＰＴＰシートガイダンス画面のユニットエリア２００３では、ユニット１にセルベックスカプセル５０ｍｇの服用パターンが毎食後に２カプセルずつ服用され、服用の開始時点である昼の服用量が強調表示され、錠剤取出しユニット１からは取り出されて供給されない端数の手撒き錠剤数の３が表示されている。
ＰＴＰシートのままのセルベックスカプセル５０ｍｇが錠剤取出しユニットの１番にユーザによる投入が完了する
ユニットエリア２００３のユニット１を選択することにより、スタートボタン（分包開始ボタン）２００２の押下が有効になる。
また、セルベックスカプセル５０ｍｇのバーコードをスキャナで読み取り、照合されると、スタートボタン２００２の押下が有効になる。
制御コンピュータ３はスタートボタン２００２が押下されたかを判断する（Ｓ１０４）。
（分包スタート）
【０１５９】
制御コンピュータ３はスタートボタン２００２が押下されたと判断すると、通信処理部１１０４へ分包動作開始コマンドと処方データを登録して、通信処理部１１０４は通信処理部１１１１へ分包動作開始指示と処方データを送信する（Ｓ１０５）。
【０１６０】
通信処理部１１１１は受け取った分包開始コマンドと処方データを解析して、散薬ホッパー、錠剤マス１０３、錠剤取出しユニット１などの包装動作部１１１２を動作させ、実際に薬剤が包装紙へ包装される。
【０１６１】
また、包装動作が開始されると通信処理部１１１１より通信処理部１１０４へ分包機状態２５０１の値、包装動作状態２５０２の値、手撒き錠剤セットカウント２５０３の値が送られる。
制御コンピュータ３はトータルの分包数（６３包等）に基づいて、４６包目以降に残っている２回目の分包動作が必要かいなかを判断する（Ｓ１０６）。
Ｓ１０６で制御コンピュータ３は予め設定された分包数が、錠剤マス１０３に一回に手撒きで投入できる許容数を超過しているかいなかを判断する。
【０１６２】
２回目の分包動作が必要であると判断した場合には、通信処理部１１０４は受け取った値を、状態変数部１１０５内の分包機の状態２５０１を分包中（分包動作を一旦停止）に設定し、包装動作の状態２５０２を待機中に設定する。
手撒き錠剤セットカウント２５０３へ１を設定する。さらに、監視タイマー部１１０６で、状態変数部１１０５を監視している。
よって包装装置５は２回目の錠剤マスへユーザが錠剤をセットする為に、包装動作を一時停止する（Ｓ１０７）。
【０１６３】
制御コンピュータ３はＳ１０６により超過していると判断された場合には、分包数まで継続して順次分包する動作が、錠剤マスの許容数を超過して分包する前に包装動作を途中で停止させる。
【０１６４】
包装動作状態２５０２が手撒き錠剤一時停止中へ変化したことを監視タイマー部１１０６が検知すると、制御コンピュータ３は２回目以降の手撒き錠剤ガイダンス画面（図２３）を自動で表示する（Ｓ１０８）。尚ここでの画面表示処理は、１回目の手撒き錠剤ガイダンス画面（図２２）と同じである。
【０１６５】
Ｓ１０８で制御コンピュータ３は、錠剤マス画面において複数の服用時を識別可能なように、自動で錠剤マス画面を起動し、服用時配色データが記憶する固有な配色ごとのマス配列に区分して表示する（区分表示制御手段）。
制御コンピュータ３はスタートボタン（再開指示）１９３２が押下されたかを判断する（Ｓ１０９）。
【０１６６】
制御コンピュータ３は分包数まで許容数を超過する以降に残る手撒き錠剤を錠剤マスに投入して順次分包するために、途中停止している分包数まで継続して順次分包する動作の再開を指示する。
【０１６７】
制御コンピュータ３はスタートボタン１９３２が押下されたと判断すると、通信処理部１１０４へ分包再開コマンドを登録して、通信処理部１１０４は通信処理部１１１１へ分包再開指示を送信する。
【０１６８】
通信処理部１１１１は受け取った分包再開コマンドを解析して、散薬ホッパー、錠剤マス１０３、錠剤取出しユニット１などの包装動作部１１１２を再開動作させ、薬剤が包装紙へ包装される動作が再開される。
制御コンピュータ３はによりＳ１０６でないと判断されると、包装動作が終了し包装動作部１１１２は停止して作業終了となる。
図３９を説明する。
【０１６９】
図３９の上図は服用時配色データである。制御コンピュータ３は、ＲＯＭ２５０２またはＨＤＤ２５１１に複数の服用時と当該服用時ごとに固有な配色とをそれぞれ対応づけた服用時配色データを記憶している（服用時配色記憶手段）。
【０１７０】
図３９の下図は服用開始時点データである。制御コンピュータ３には、ＲＯＭまたはＨＤＤに複数の服用時に応じた錠剤マス画面の表示要求をする複数の服用時の中の１つの服用時と、服用が開始される時点とが関連づけた服用開始時点データを処方箋データ毎に管理して記憶している。
【符号の説明】
【０１７１】
１        錠剤取出しユニット
５        薬剤包装装置
１０      錠剤供給装置
１７      検出機構
１８      錠剤シートが載置される載置台  
２４      導入シュート
３０      排出口
３９      下部ローラ
５０      錠剤
５１      錠剤シート（ＰＴＰシート）
５２      錠剤収容部
８３      内部押圧体
８４      外部押圧体
９３      第１昇降体  
９４      カム
９８      第２昇降体
９９      カム
１０３    錠剤マス
１０４    タッチパネルＬＣＤ
２０３    ＰＴＰシート投入口
２０４    光学センサ
４００    錠剤供給ユニット
４０１    錠剤導入路
５０５    メインホッパ
７０１    包装装置内の包装ユニット
７０２    ロール紙送出機構
７０３    包装機構
７０４    包装機構
７０５    分断機構
７０６    プリンタ
８０１    分断用のミシン目
８０２    １つの包み
８０３    １つの包みに分包された錠剤（薬剤）。
１９０１  ガイダンス画面
１９０７  錠剤名画面
１９０８  錠剤マス画面
１９１２  マス配列
１９１３  錠剤アイコン
【図１】
2014087545.tif 000003
【図２】
2014087545.tif 000004
【図３】
2014087545.tif 000005
【図４】
2014087545.tif 000006
【図５】
2014087545.tif 000007
【図６】
2014087545.tif 000008
【図７】
2014087545.tif 000009
【図８】
2014087545.tif 000010
【図９】
2014087545.tif 000011
【図１０】
2014087545.tif 000012
【図１１】
2014087545.tif 000013
【図１２】
2014087545.tif 000014
【図１３】
2014087545.tif 000015
【図１４】
2014087545.tif 000016
【図１５】
2014087545.tif 000017
【図１６】
2014087545.tif 000018
【図１７】
2014087545.tif 000019
【図１８】
2014087545.tif 000020
【図１９】
2014087545.tif 000021
【図２０】
2014087545.tif 000022
【図２１】
2014087545.tif 000023
【図２２】
2014087545.tif 000024
【図２３】
2014087545.tif 000025
【図２４】
2014087545.tif 000026
【図２５】
2014087545.tif 000027
【図２６】
2014087545.tif 000028
【図２７】
2014087545.tif 000029
【図２８】
2014087545.tif 000030
【図２９】
2014087545.tif 000031
【図３０】
2014087545.tif 000032
【図３１】
2014087545.tif 000033
【図３２】
2014087545.tif 000034
【図３３】
2014087545.tif 000035
【図３４】
2014087545.tif 000036
【図３５】
2014087545.tif 000037
【図３６】
2014087545.tif 000038
【図３７】
2014087545.tif 000039
【図３８】
2014087545.tif 000040
【図３９】
2014087545.tif 000041